(57)【特許請求の範囲】
【請求項１】
フード体１内を縦向きのフィルター１１で吸込部１２と排出部１３に区画し、送風機１６で排出部１３内の空気を吸引して排出することで吸込部１２の空気がフィルター１１を通って排出部１３に吸込まれるようにしたレンジフードにおいて、
前記フィルター１１よりも上部寄りに、洗浄液樋２４を、当該フィルター１１の長手方向全長に亘って取付け、この洗浄液樋２４に洗浄液を供給するように構成し、
前記洗浄液樋２４は、その底板３０に洗浄液供給孔３２がフィルター１１の長手方向に沿って間隔を置いて複数形成されていると共に、この各洗浄液供給孔３２の開口縁と連続して筒状の水切り部３３が下向きに一体的にそれぞれ設けてあり、この各水切り部３３から洗浄液がフィルター１１の上縁部に落下供給されるように構成したことを特徴とするレンジフードのフィルター清掃装置。
【請求項２】
前記洗浄液樋２４の底部に流体流通の抵抗となる流体流通抵抗体３４を、この洗浄液樋２４に供給された洗浄液が当該流体流通抵抗体３４を流通して洗浄液供給孔３２から落下するように設けた請求項１記載のレンジフードのフィルター清掃装置。
【請求項３】
前記フィルター１１の下縁部に洗浄液受皿２０を設け、この洗浄液受皿２０の下方に洗浄液槽２２を設けてフィルター１１に沿って流れた洗浄液が洗浄液槽２２内に溜るようにし、
前記洗浄液槽２２内の洗浄液を洗浄液供給ポンプ２７によって前記洗浄液樋２４に供給するようにした請求項１又は２記載のレンジフードのフィルター清掃装置。
【発明の詳細な説明】
【０００１】
【発明の属する技術分野】
本発明は、調理時に発生する煙り、湯気、臭気等を捕集して外部に排出するレンジフードにおけるフィルターを清掃する装置に関する。
【０００２】
【従来の技術】
レンジフードとしては、例えば特公平１−５４６１８号公報に示すように、送風機と吸気口とを連通する吸気風路に複数の邪魔板を取付け、この吸気風路を流れる油煙が邪魔板によって強制的に屈曲させられることで油煙中の油脂粒子が邪魔板や風路内壁に付着して油脂分を分離除去する。前記邪魔板や風路内壁に洗浄ノズルで洗浄液を噴射して付着した油脂分を洗い落すものが知られている。
【０００３】
このレンジフードであれば、邪魔板や風路内壁に付着した油脂分を洗浄液で洗い落として清掃できるので、人手によって邪魔板や風路内壁を清掃する必要がない。
【０００４】
【発明が解決しようとする課題】
レンジフードとしては、フード体の内部にフィルターを取付け、そのフード体内部にフィルターを境として吸込部と排出部を形成し、その排出部に送風機を取付けたものが知られている。
【０００５】
このレンジフードであれば、送風機を駆動することで空気を吸込部より吸込み、その吸込んだ空気をフィルターを通して排出部に吸込み、排気ダクトなどを通して外部に排出することができる。
また、吸込んだ空気中の油分や水蒸気をフィルターで捕集でき、排出ダクトを流れる空気中の油分や水蒸気の量が著しく減少するので、排出ダクト内で油分や水蒸気が結露して排出ダクトより流れ出ることがない。
【０００６】
前述のレンジフードはフィルターによってフード体内部を吸込部と排出部に区画しているから、そのフィルターは大面積である。このために、従来のレンジフードのように洗浄ノズルによって洗浄液をフィルターに噴射すると、洗浄液がフィルター全面に均一に噴射されないから、洗浄液をフィルター全面に均一に流下させることができずにフィルターを均一に清掃できない。
【０００７】
そこで、本発明は前述の課題を解決できるようにしたレンジフードのフィルター清掃装置を提供することを目的とする。
【０００８】
【課題を解決するための手段】
第１の発明は、フード体１内を縦向きのフィルター１１で吸込部１２と排出部１３に区画し、送風機１６で排出部１３内の空気を吸引して排出することで吸込部１２の空気がフィルター１１を通って排出部１３に吸込まれるようにしたレンジフードにおいて、
前記フィルター１１よりも上部寄りに、洗浄液樋２４を、当該フィルター１１の長手方向全長に亘って取付け、この洗浄液樋２４に洗浄液を供給するように構成し、
前記洗浄液樋２４は、その底板３０に洗浄液供給孔３２がフィルター１１の長手方向に沿って間隔を置いて複数形成されていると共に、この各洗浄液供給孔３２の開口縁と連続して筒状の水切り部３３が下向きに一体的にそれぞれ設けてあり、この各水切り部３３から洗浄液がフィルター１１の上縁部に落下供給されるように構成したことを特徴とするレンジフードのフィルター清掃装置。
【０００９】
第２の発明は、第１の発明における洗浄液樋２４の底部に流体流通の抵抗となる流体流通抵抗体３４を、この洗浄液樋２４に供給された洗浄液が当該流体流通抵抗体３４を流通して洗浄液供給孔３２から落下するように設けたレンジフードのフィルター清掃装置である。
【００１０】
第３の発明は、第１の発明又は第２の発明におけるフィルター１１の下縁部に洗浄液受皿２０を設け、この洗浄液受皿２０の下方に洗浄液槽２２を設けてフィルター１１に沿って流れた洗浄液が洗浄液槽２２内に溜るようにし、
前記洗浄液槽２２内の洗浄液を洗浄液供給ポンプ２７によって前記洗浄液樋２４に供給するようにしたレンジフードのフィルター清掃装置である。
【００１１】
【作用】
第１の発明によれば、洗浄液樋２４内の洗浄液は洗浄液供給孔３２から落下し、その開口縁に設けた筒状の水切り部３３によって水切りされるので、流れが安定すると共に、流れがガイドされて各洗浄液供給孔３２より落下した洗浄液はフィルター１１の上縁部に向けてそれぞれ一条の流れとして正しく落下供給される。
【００１２】
これによって、洗浄液はフィルター１１上縁部に均一に落下供給され、フィルター１１全面に均一に安定して流下するので、フィルター１１の全面を均一に清掃することができる。
【００１３】
第２の発明によれば、洗浄液樋２４内に供給された洗浄液は流体流通抵抗体３４を通って洗浄液供給孔３２に流れるので、例えば１本の洗浄液供給パイプにより洗浄液樋２４の長手方向一個所に集中的に供給された洗浄液の乱れた圧力が流体流通抵抗体３４によって均一な圧力となり、各洗浄液供給孔３２には安定した洗浄液圧が加えられて均一に落下供給する。
【００１４】
これによって、例えば１本の洗浄液供給パイプで洗浄液樋２４に洗浄液を供給する場合でも洗浄液はフィルター１１の上縁部に均一に落下供給され、フィルター１１全面に均一に安定して流下するので、フィルター１１の全面を均一に清掃することができる。
【００１５】
第３の発明によれば、フィルター１１に沿って流れ落ちた洗浄液は再び洗浄液樋２４に供給されるので、洗浄液を循環して再利用できる。
【００１６】
【発明の実施の形態】
図１に示すように、フード体１は後側フード体２と、前側フード体３を有する。後側フード体２は後面板４と相対向した一対の側面板５と天板６により下部と前部が開口した箱状となっている。前記前側フード体３は前面板７と、相対向した一対の側面板８と天板９により下部と後部が開口した箱状と成っている。
【００１７】
前記後側フード体２と前側フード体３を連結してフード体１としてある。このフード体１は下部が開口した箱状となっている。
【００１８】
前記後側フード体２の一対の側面板５の下部寄り間に仕切板１０が取付けてある。この仕切板１０と天板６とに亘ってフィルター１１が縦向きに取付けてある。フード体１内はフィルター１１を境として下部に開口した吸込部１２と排出部１３に区画してある。
【００１９】
前記排出部１３内には電動モータ１４により回転されるファン１５を備えた送風機１６が設けてあり、この送風機１６の吸込部が排出部１３に開口し、吐出側に排気ダクトが接続してある。
【００２０】
このようであるから、電動モータ１４によりファン１５を回転すると吸込部１２より空気が吸込まれる。その吸込まれた空気はフィルター１１を通して排出部１３に流れ込む。排出部１３に流れ込んだ空気は送風機１６の吐出側から排出ダクトに排出される。
【００２１】
前記仕切板１０の上面に洗浄液受皿２０が取付けてある。この洗浄液受皿２０にフィルター１１の下部がブラケット２１で取付けてある。前記仕切板１０の下面に洗浄液槽２２が取付けてある。これによってフィルター１１に沿って流れ落ちた洗浄液は洗浄液受皿２０内に落下し、排出口２３から洗浄液槽２２内に流れ込む。
【００２２】
前記後側フード体２の天板６には洗浄液樋２４が取付けてある。この洗浄液樋２４にブラケット２５を介してフィルター１１の上部が取付けてある。前記洗浄液槽２２内の洗浄液は電動モータ２６で駆動される洗浄液供給ポンプ２７で洗浄液供給パイプ２８に吐出され、その洗浄液供給パイプ２８によって洗浄液樋２４に供給される。
【００２３】
前記フィルター１１は図２，図３に示すように相対向した一対の側面板５間に亘って取付けてある。洗浄液樋２４は底板３０と周壁板３１とで上部が開口したほぼ平面長方形状である。この洗浄液樋２４はフィルター１１よりも上部寄りに長手方向全長に亘って取付けてあり、その周壁板３１の後部３１ａにおける長手方向中央部に前記洗浄液供給パイプ２８が取付けてある。前記洗浄液樋２４は上板を有する密閉された箱状としても良い。
【００２４】
前記底板３０は前部寄り３０ａが後部寄り３０ｂよりも下方となるようにほぼ階段形状に折り曲げてあり、洗浄液樋２４は前部寄り部分が深く、後部寄り部分が浅くなっている。
【００２５】
前記底板３０の前部寄りには複数の洗浄液供給孔３２が長手方向に間隔を置いて形成してある。この洗浄液供給孔３２の開口縁と連続して筒状の水切り部３３が下向きに一体的に設けてある。例えば、洗浄液樋２４を金属製とし、その底板３０の前部寄り３０ａをバーリング加工して水切り部３３を有する洗浄液供給孔３２としてある。
【００２６】
なお、洗浄液樋２４を樹脂による射出成形品としても良い。
【００２７】
このようであるから、洗浄液樋２４内に供給された洗浄液は図３に示すように前部寄り部分に溜り、各洗浄液供給孔３２からフィルター１１の上縁部に落下供給される。この時に、洗浄液供給孔３２の開口縁と連続して下向きに一体的に設けた筒状の水切り部３３によって洗浄液が底板３０の下面から水切りされると共に、真下に向けて流れるようにガイドされるので、各洗浄液供給孔３２から洗浄液ａが図３に示すようにフィルター１１の上縁部に向けてそれぞれ一条の流れとして正しく落下供給される。
【００２８】
したがって、洗浄液はフィルター１１上縁部に均一に落下供給され、フィルター１１全面に均一に安定して洗浄液が流下するので、フィルター１１の全面を均一に清掃することができる。
【００２９】
図４は本発明の第２の実施の形態を示し、洗浄液樋２４の前部寄り部分にスポンジ、複数の金網を重ねたものなどの流体流通の抵抗となる流体流通抵抗体３４を設けてある。
【００３０】
このようにすれば、洗浄液供給パイプ２８から洗浄液槽２４内に吐出された洗浄液は流体流通抵抗体３４を流れて洗浄液供給孔３２から落下するので、その吐出された洗浄液の乱れた圧力が直接洗浄液供給孔３２に加わらず、それぞれの洗浄液供給孔３２には安定した洗浄液圧が加えられ均一に落下供給する。
【００３１】
また、流体流通抵抗体３４を設けただけであるから、洗浄液樋を小型化することが可能であり、レンジフード高さ寸法、奥行きなどの制限受ける恐れが少なく、さらに簡単で安価に製作することができる。
【００３２】
具体的には、レンジフード下部の洗浄液槽２２から洗浄液供給ポンプ２７により洗浄液供給パイプ２８を通して洗浄液樋２４へ洗浄液が送られるが、その際、洗浄液供給パイプ２８から洗浄液樋２４へ吐出された洗浄液を直接洗浄液供給孔３２に向けて吐出すると、吐出個所近傍にある洗浄液供給孔３２からの流出が激しくなり、吐出個所から離れるに従い流出が弱くなる。この状態ではフィルター１１上部に均一に落下供給できない。この状態を回避し、どの洗浄液供給孔からも均一に落下供給するできる状態にするためには、洗浄液供給パイプから吐出された洗浄液の勢いを直接洗浄液供給孔に届かせないよう洗浄液供給孔からの距離をとり、そこに圧力分散板等を配置するか、もしくは洗浄液樋の深さを深くし、洗浄液供給孔径を小さくしたり、または各洗浄液供給孔からの流量をそれぞれ調節する方法などが考えられるが、レンジフード高さ寸法、奥行きなどの制限より、前記対策は非常に困難ある。
【００３３】
【発明の効果】
第１の発明によれば、洗浄液樋２４内の洗浄液は洗浄液供給孔３２から落下し、その開口縁に設けた筒状の水切り部３３によって水切りされるので、流れが安定すると共に、流れがガイドされて各洗浄液供給孔３２より落下した洗浄液はフィルター１１の上縁部に向けてそれぞれ一条の流れとして正しく落下供給される。
【００３４】
これによって、洗浄液はフィルター１１上縁部に均一に落下供給され、フィルター１１全面に均一に安定して流下するので、フィルター１１の全面を均一に清掃することができる。
【００３５】
第２の発明によれば、洗浄液樋２４内に供給された洗浄液は流体流通抵抗体３４を通って洗浄液供給孔３２に流れるので、例えば１本の洗浄液供給パイプにより洗浄液樋２４の長手方向一個所に集中的に供給された洗浄液の乱れた圧力が流体流通抵抗体３４によって均一な圧力となり、各洗浄液供給孔３２には安定した洗浄液圧が加えられて均一に落下供給する。
【００３６】
これによって、例えば、１本の洗浄液供給パイプで洗浄液樋２４に洗浄液を供給する場合でも洗浄液はフィルター１１の上縁部に均一に落下供給され、フィルター１１全面に均一に安定して流下するので、フィルター１１の全面を均一に清掃することができる。
【００３７】
第３の発明によれば、フィルター１１に沿って流れ落ちた洗浄液は再び洗浄液樋２４に供給されるので、洗浄液を循環して再利用できる。
【図面の簡単な説明】
【図１】本発明の実施の形態を示すレンジフードの断面図である。
【図２】洗浄液樋の平面図である。
【図３】図２のＡ−Ａ断面図である。
【図４】洗浄液樋の他の実施の形態を示す断面図である。
【符号の説明】
１…フード体、１１…フィルター、１２…吸込部、１３…排出部、１６…送風機、２０…洗浄液受皿、２２…洗浄液槽、２４…洗浄液樋、２６…洗浄液供給ポンプ、３２…洗浄液供給孔、３３…筒状の水切り部、３４…流体流通抵抗体。
【図１】
0003743076.tif 000002
【図２】
0003743076.tif 000003
【図３】
0003743076.tif 000004
【図４】
0003743076.tif 000005